(57)【特許請求の範囲】
【請求項１】
オーディオサービス再生装置において、
オブジェクトベースのオーディオコンテンツを復号化（逆多重化）する復号化手段と、  前記復号化（逆多重化）されたオブジェクトベースのオーディオコンテンツに含まれる、オブジェクトの割合がそれぞれ異なる複数のオーディオシーンを含むオーディオシーン情報のうち、ユーザ（視聴者）の選択に応じたオーディオシーンに対応するオーディオシーン情報を構成するオーディオシーン構成手段と、
前記構成されたオーディオシーン情報に基づき、前記復号化されたオブジェクトベースのオーディオコンテンツにおけるオーディオ信号のオブジェクト毎の属性を制御するオーディオ信号合成手段と、
オブジェクト毎の位置、大きさ、方向属性のうちのいずれか１つが制御されたオーディオ信号を再生する再生手段と
を備え、
前記オーディオシーン構成手段が、
前記オーディオ情報に適切なオーディオシーンが含まれない場合、ユーザ（視聴者）が設定したオブジェクト毎の属性に応じてオーディオシーン情報を構成する機能をさらに備えることを特徴とする、プリセットオーディオシーンを用いたオブジェクトベースのオーディオサービス再生装置。
【請求項２】
前記オブジェクト毎の属性が、
オーディオオブジェクトの位置、方向、大きさ及び音場環境のうちの少なくとも１つを含むことを特徴とする、請求項１に記載のプリセットオーディオシーンを用いたオブジェクトベースのオーディオサービス再生装置。
【請求項３】
前記オーディオシーン情報に基づき、初期反射音の大きさ及び遅延時間を制御して空間の残響時間を変更することにより、オーディオ空間の特性を制御することができることを特徴とする、請求項２に記載のプリセットオーディオシーンを用いたオブジェクトベースのオーディオサービス再生装置。
【請求項４】
オーディオサービス再生方法において、
オブジェクトベースのオーディオコンテンツを復号化（逆多重化）するステップと、
前記復号化（逆多重化）されたオブジェクトベースのオーディオコンテンツに含まれる、オブジェクトの割合がそれぞれ異なる複数のオーディオシーンを含むオーディオシーン情報のうち、ユーザ（視聴者）の選択に応じたオーディオシーンに対応するオーディオシーン情報を構成するオーディオシーン情報構成ステップと、
前記構成されたオーディオシーン情報に基づき、前記復号化されたオブジェクトベースのオーディオコンテンツにおけるオーディオ信号のオブジェクト毎の属性を制御するオーディオ信号合成ステップと、
オブジェクト毎の位置、大きさ及び方向属性のうちのいずれか１つが制御されたオーディオ信号を再生するステップと
を含み、
前記オーディオシーン構成ステップでは、
前記オーディオ情報に適切なオーディオシーンが含まれない場合、ユーザ（視聴者）が設定したオブジェクト毎の属性に応じてオーディオシーン情報を構成する機能をさらに備えることを特徴とする、プリセットオーディオシーンを用いたオブジェクトベースのオーディオサービス再生方法。
【請求項５】
前記オブジェクト毎の属性が、
オーディオオブジェクトの位置、方向、大きさ及び音場環境のうちの少なくとも１つを含むことを特徴とする、請求項４に記載のプリセットオーディオシーンを用いたオブジェクトベースのオーディオサービス再生方法。
【請求項６】
前記オーディオシーン情報に基づき、初期反射音の大きさ及び遅延時間を制御して空間の残響時間を変更することにより、オーディオ空間の特性を制御することができることを特徴とする、請求項５に記載のプリセットオーディオシーンを用いたオブジェクトベースのオーディオサービス再生方法。
【発明の詳細な説明】
【技術分野】
【０００１】
本発明は、プリセットオーディオシーンを用いたオブジェクトベースの３次元オーディオサービスシステム及びその方法に関し、より詳細には、ユーザ（視聴者）によりリアリティな放送をサービスするために、３次元オーディオ関連技術を用いてユーザ（視聴者）が直接オーディオシーンを構成できる対話型（双方向）サービスを提供するための、プリセットオーディオシーンを用いたオブジェクトベースの３次元オーディオサービスシステム及びその方法に関する。
【背景技術】
【０００２】
図１は、従来のオーディオサービスシステムの構成例を示す図である。同図に示すように、従来のオーディオサービス提供装置１０は、オーディオ信号（サウンド）を獲得する獲得部１１と、オーディオサービス再生装置２０に伝送するために獲得されたオーディオ信号（サウンド）を編集及び合成する編集／合成部１２と、合成されたオーディオ信号（サウンド）を格納し、これをオーディオサービス再生装置２０に伝送する格納／伝送部１３とを備える。
【０００３】
また、オーディオサービス再生装置２０は、オーディオサービス提供装置１０から伝送されたオーディオ信号を受信する受信部２１と、受信したオーディオ信号を制御する制御部２２と、オーディオ信号を再生する再生部２３とを備える。
【０００４】
このような構成を有する従来のオーディオサービスシステムをベースとしてテレビ放送、ラジオ放送、ＤＭＢ（Ｄｉｇｉｔａｌ  Ｍｕｌｔｉｍｅｄｉａ  Ｂｒｏａｄｃａｓｔｉｎｇ）などのような放送サービスを介して提供される一般的なオーディオ信号は、様々な音源から獲得された複数のオーディオ信号が１つのオーディオ信号として合成されたものである。例えば、サッカー競技を介して提供されるオーディオ信号は、競技場内のノイズ、観衆の喚声、解説者の音声などが１つのオーディオ信号として合成され伝送される。
このとき、ユーザ（視聴者）は、オーディオ信号全体の強度などを調節することは可能であるが、オーディオ信号中に含まれている解説者の音声、競技場内のノイズ、観衆の喚声などといった各々のオブジェクトの強度を調節することは不可能である。その理由は、一般的な放送サービスでは、複数のオーディオ信号を１つのオーディオ信号として予め合成した後に伝送するからである。
【０００５】
しかし、送信装置（オーディオサービス提供装置１０）が音源毎のオーディオ信号を合成せずに独立して伝送すれば、受信装置（オーディオサービス再生装置２０）は、音源毎のオーディオ信号に対する強度などを制御しながら視聴できるようになる。このように、送信装置が複数のオーディオ信号を独立して伝送し、ユーザ（視聴者）が受信装置で各々のオーディオ信号を適切に制御しながら聴取できるようにするオーディオサービスを、オブジェクトベースのオーディオサービスという。
【０００６】
例えば、サッカー競技を介して提供されるオーディオ信号をオブジェクト毎の３次元オーディオサービスとして提供すれば、ユーザ（視聴者）は、競技場内のノイズ、観衆の喚声、解説者の音声などのオブジェクトをそれぞれ制御して自分の好きなサウンドを聴取することができる。すなわち、競技場内のノイズは大きく、観衆の喚声は小さく、解説者の音声は大きく調節してオーディオ信号を聴取するか、あるいは観衆の喚声は一切聞こえず、競技場内のノイズや解説者の音声だけが聞こえるようにオーディオ信号を制御して聴取することができる。
【０００７】
したがって、デジタル放送、ラジオ放送、ＤＭＢ、インターネット放送、デジタル映画、ＤＶＤ（Ｄｉｇｉｔａｌ  Ｖｉｄｅｏ  Ｄｉｓｋ）、動画コンテンツなどのように、オーディオが提供される全ての放送サービス及びマルチメディアサービスに適用され、音源毎のオーディオ信号を制御して聴取できるオブジェクトベースの３次元オーディオサービスが受けられるようにする方法が切実に求められる。
【０００８】
先行基準の一例として、「オブジェクトベースの３次元オーディオシステム及びその制御方法」（韓国公開特許１０−２００４−００３７４３７号（２００４年５月７日公開））では、それに関する方法を提示しているが、これは、ユーザ（視聴者）が自分に適したオーディオ信号を設定するために、各々の音源に対するオーディオ信号をいちいち調整しなければならないことから、煩わしいという問題があった。
【発明の開示】
【発明が解決しようとする課題】
【０００９】
本発明は、上記の問題を解決するためになされたものであって、その目的は、オブジェクトベースの３次元オーディオサービスをユーザ（視聴者）に提供するにあたり、ユーザ（視聴者）の音源毎のオーディオ信号を制御しなければならないという操作の煩わしさを解消し、ユーザ（視聴者）が容易かつ便利にオブジェクトベースの３次元オーディオサービスを聴取できるようにするための、プリセットオーディオシーンを用いたオブジェクトベースの３次元オーディオサービスシステム及びその方法を提供することにある。
本発明の他の目的及び長所は、下記の説明によって理解することができ、本発明の実施例によりさらに明確になるはずである。また、本発明の目的及び長所は、特許請求の範囲に示す手段及びその組み合わせにより実現可能であることが容易に分かるであろう。
【課題を解決するための手段】
【００１０】
上記の目的を達成するための本発明は、３次元オーディオサービス提供装置において、オーディオ信号が入力されるオーディオ入力手段と、前記入力されたオーディオ信号からオブジェクトオーディオ信号を抽出し、当該抽出されたオブジェクトオーディオ信号を３次元空間上に配置して各オブジェクトの属性を編集し、１つ以上の３次元オーディオシーン情報を生成するオーディオシーン生成手段と、前記オーディオ信号及びオブジェクト毎のオーディオ信号に関する前記３次元オーディオシーン情報を符号化（多重化）する符号化手段とを備えてなることを特徴とする。
【００１１】
また、本発明は、３次元オーディオサービス再生装置において、オブジェクトベースの３次元オーディオコンテンツを復号化（逆多重化）する復号化手段と、前記復号化（逆多重化）されたオブジェクトベースの３次元オーディオコンテンツにおける３次元オーディオシーン情報のうち、ユーザ（視聴者）の選択に応じた３次元オーディオシーン情報を構成するオーディオシーン構成手段と、前記構成された３次元オーディオシーン情報に基づき、前記復号化されたオブジェクトベースの３次元オーディオコンテンツにおけるオーディオ信号のオブジェクト毎の属性を制御するオーディオ信号合成手段と、オブジェクト毎の位置／大きさ／方向属性が制御されたオーディオ信号を再生する再生手段とを備えてなることを特徴とする。
【００１２】
一方、本発明は、３次元オーディオサービス提供方法において、オーディオ信号が入力されるステップと、前記入力されたオーディオ信号からオブジェクトオーディオ信号を抽出し、当該抽出されたオブジェクトオーディオ信号を３次元空間上に配置して各オブジェクトの属性を編集し、１つ以上の３次元オーディオシーン情報を生成するオーディオシーン情報生成ステップと、前記オーディオ信号及びオブジェクト毎のオーディオ信号に関する前記３次元オーディオシーン情報を符号化（多重化）するステップとを含んでなることを特徴とする。
【００１３】
また、本発明は、３次元オーディオサービス再生方法において、オブジェクトベースの３次元オーディオコンテンツを復号化（逆多重化）するステップと、前記復号化（逆多重化）されたオブジェクトベースの３次元オーディオコンテンツにおける３次元オーディオシーン情報のうち、ユーザ（視聴者）の選択に応じた３次元オーディオシーン情報を構成するオーディオシーン情報構成ステップと、前記構成された３次元オーディオシーン情報に基づき、前記復号化されたオブジェクトベースの３次元オーディオコンテンツにおけるオーディオ信号のオブジェクト毎の属性を制御するオーディオ信号合成ステップと、オブジェクト毎の位置／大きさ／方向属性が制御されたオーディオ信号を再生するステップとを含んでなることを特徴とする。
【発明の効果】
【００１４】
上記のような本発明は、デジタル放送、ラジオ放送、ＤＭＢ、インターネット放送、デジタル映画、ＤＶＤ、動画コンテンツなどのように、オーディオが提供される全ての放送サービス及びマルチメディアサービスに適用されるオブジェクトベースの３次元オーディオサービスを提供するにあたり、予め生成されたプリセットオーディオシーンをユーザ（視聴者）に提供することにより、ユーザ（視聴者）が音源毎のオーディオ信号を直接制御しなければならないという操作の煩わしさを解消し、ユーザ（視聴者）がより容易かつ便利にオブジェクトベースの３次元オーディオサービスを利用できるようにするという効果がある。
【００１５】
本発明は、デジタル放送、ラジオ放送、ＤＭＢ、インターネット放送、デジタル映画、ＤＶＤ、動画コンテンツなどのように、オーディオが提供される放送サービス及びマルチメディアサービスに適用することができ、オーディオが提供される放送またはマルチメディアサービスである限りオブジェクトベースのオーディオコンテンツ（オブジェクトベースの３次元オーディオシーン情報）を伝送または格納する媒体の種類にこだわらない。
【発明を実施するための最良の形態】
【００１６】
上述した目的、特徴及び長所は、添付図面に関する以下の詳細な説明を通じてより明確になるはずであり、それにより、本発明の属する技術分野における通常の知識を有する者が本発明の技術的思想を容易に実施することができる。また、本発明の説明において、本発明に係る公知技術に対する具体的な説明が本発明の要旨を不明瞭にするおそれがあると判断された場合、その詳細な説明を省略する。以下、添付図面を参照して本発明の好ましい実施形態を詳細に説明する。
【００１７】
図２は、本発明の一実施形態に係るプリセットオーディオシーンを用いたオブジェクトベースの３次元オーディオサービスシステムの構成図である。
【００１８】
同図に示すように、オブジェクトベースの３次元オーディオサービスシステムは、多様な入力手段を介してオーディオ信号を受信し、ユーザ（視聴者）の選択可能な１つ以上のオブジェクトベースの３次元オーディオシーン情報を生成してオブジェクトベースの３次元オーディオ再生装置４０に伝送するオブジェクトベースの３次元オーディオサービス提供装置３０と、オブジェクトベースの３次元オーディオサービス提供装置３０とオブジェクトベースの３次元オーディオサービス再生装置４０とをネットワーク接続するデジタル放送網またはインターネット網のような伝送媒体５０と、オブジェクトベースの３次元オーディオサービス提供装置３０から受信したオブジェクトベースの３次元オーディオシーン情報に基づき、１つ以上のオブジェクトベースの３次元オーディオシーンを生成するオブジェクトベースの３次元オーディオサービス再生装置４０とを備える。
【００１９】
それでは、本発明に係るプリセットオーディオシーンを用いたオブジェクトベースの３次元オーディオサービスシステムの構成要素について詳細に説明する。
【００２０】
まず、プリセットオーディオシーンを用いたオブジェクトベースの３次元オーディオサービスシステムにおけるオブジェクトベースの３次元オーディオサービス提供装置３０の構成をみると、多様な入力手段を介してオーディオ信号が入力される入力部３１と、入力部３１を介して入力されたオーディオ信号からオブジェクトベースのオーディオ信号（オブジェクトオーディオ信号）を抽出し、抽出されたオブジェクトベースのオーディオ信号（オブジェクトオーディオ信号）を３次元空間上に配置して各オブジェクトの位置、大きさ、方向、音場環境などの属性を編集し、１つ以上の３次元オーディオシーン情報を生成するプリセットオーディオシーン生成部３２と、入力部３１に入力されたオーディオ信号及びプリセットオーディオシーン生成部３２によって生成されたオブジェクトベースの３次元オーディオシーン情報をオブジェクトベースの３次元オーディオサービス再生装置４０に伝送するために符号化して多重化（例えば、デジタル放送網では、ＭＰＥＧ−４（Ｍｏｖｉｎｇ  Ｐｉｃｔｕｒｅ  Ｅｘｐｅｒｔｓ  Ｇｒｏｕｐ  ４）ファイルの形態で多重化）する符号化部３３と、符号化部３３によって多重化されたオブジェクトベースのオーディオコンテンツ（オーディオ信号、オブジェクトベースの３次元オーディオシーン情報）を伝送フォーマットに合わせて変換（例えば、デジタル放送網では、ＭＰＥＧ−２  ＴＳ（Ｔｒａｎｓｐｏｒｔ  Ｓｔｒｅａｍ）に変換）して伝送する伝送部３４とを備える。
【００２１】
このとき、変換されたオブジェクトベースのオーディオコンテンツ（オーディオ信号、オブジェクトベースの３次元オーディオシーン情報）は、上記のように、伝送部３４において伝送媒体を介して伝送することもできるが、格納媒体に格納することもできる。
【００２２】
ここで、伝送部３４は、オブジェクトベースのオーディオコンテンツ（オーディオ信号、オブジェクトベースの３次元オーディオシーン情報）を、例えば、デジタル放送網（地上波ＤＭＢチャネル５０）を介してオブジェクトベースの３次元オーディオ再生装置４０に伝送することができる。
【００２３】
このとき、プリセットオーディオシーン生成部３２は、入力部３１に入力されたオーディオ信号の音源が混合音源の場合、「Ｃｏｎｖｏｌｕｔｉｖｅ  Ｂｌｉｎｄ  Ｓｏｕｒｃｅ  Ｓｅｐａｒａｔｉｏｎ」技術を用いてオブジェクトオーディオ信号を抽出する。特に、プリセットオーディオシーン生成部３２は、ユーザ（編集者）の制御によって設定された「オブジェクト毎のオーディオ信号に関するオーディオシーン情報」に基づき、各オブジェクトの割合を調節して１つ以上のオブジェクトベースの３次元オーディオシーン情報を構成する。
【００２４】
一方、オブジェクトベースの３次元オーディオサービス再生装置４０の構成をみると、オブジェクトベースのオーディオコンテンツ（オーディオ信号、オブジェクトベースの３次元オーディオシーン情報）を再生させるために復号化（逆多重化）する復号化部４２と、復号化部４２によって復号化（逆多重化）されたオブジェクトベースの３次元オーディオコンテンツにおけるオブジェクトベースの３次元オーディオシーン情報をユーザ（視聴者）が選択できるようにユーザ（視聴者）に提供し、ユーザ（視聴者）の選択に応じたオブジェクトベースの３次元オーディオシーン情報を構成するオーディオシーン情報構成部４３と、オーディオシーン情報構成部４３によって構成されたオブジェクトベースの３次元オーディオシーン情報に基づき、復号化部４２によって復号化（逆多重化）されたオブジェクトベースの３次元オーディオコンテンツにおけるオーディオ信号のオブジェクト毎の属性（オーディオオブジェクトの位置、方向、大きさ、音場環境を含む）を制御して合成するオーディオ信号合成部４４と、オーディオ信号合成部４４によって１つのオブジェクトベースの３次元オーディオシーンで合成されたオーディオ信号を再生するオーディオ信号再生部４５とを備える。
【００２５】
このとき、前記オブジェクトベースのオーディオコンテンツ（オーディオ信号、オブジェクトベースの３次元オーディオシーン情報）は、デジタル放送、ラジオ放送、ＤＭＢ、インターネット放送、デジタル映画、ＤＶＤ、動画コンテンツなどのように、オーディオが提供される放送サービス及びマルチメディアサービスを介して提供され得る。したがって、前記オブジェクトベースのオーディオコンテンツは、受信部４１を介して受信することもできるが、これに限定されない。すなわち、前記オブジェクトベースのオーディオコンテンツは、オーディオが提供される放送サービス及びマルチメディアサービスの提供が可能な伝送媒体または格納媒体を介して提供され得、その種類に限定されないことに留意しなければならない。
【００２６】
ここで、オーディオシーン情報構成部４３は、ユーザ（視聴者）がオーディオオブジェクト毎の属性（オーディオオブジェクトの位置、方向、大きさ、音場環境を含む）を設定できるようにし、ユーザ（視聴者）によって設定されたオブジェクト毎の属性（オーディオオブジェクトの位置、方向、大きさ、音場環境を含む）に応じて新たなオブジェクトベースの３次元オーディオシーン情報を構成することもできる。
【００２７】
このとき、ユーザ（視聴者）は、オーディオシーン情報構成部４３を介して初期反射音の大きさ及び遅延時間を制御して３次元空間の残響時間を変更する方法により、３次元オーディオ空間に対する特性を制御することができる。
【００２８】
すなわち、プリセットオーディオシーンを用いたオブジェクトベースの３次元オーディオサービスシステムは、一般的に多用されると予想されるオブジェクトベースの３次元オーディオシーンを予め生成してユーザ（視聴者）に提供し、ユーザ（視聴者）が、これらのうち、自分の好きなオーディオシーンを選択して視聴するようにし、ユーザ（視聴者）が簡便に自分の好きなオーディオ信号を視聴できるようにする。
【００２９】
例えば、サッカー競技における競技場内のノイズ、観衆の喚声、解説者の音声を各々の独立したオーディオオブジェクトとして定義し、独立して伝送し、これと共に、競技場内のノイズ、観衆の喚声、解説者の音声の大きさが「１：１：１」に設定されたオーディオシーンと、「１：０．５：１」に設定されたオーディオシーン、「１：０：１」に設定されたオーディオシーンを伝送すると、ユーザ（視聴者）は、上記定義した３つの互いに異なるオーディオシーンのうちの１つを選択して自分の好きな形態でオーディオ信号を聴取できるようになる。
【００３０】
仮に、プリセットされたオーディオシーンのうち、自分の好きなオーディオシーンがない場合は、オブジェクト毎のオーディオ信号を直接制御してオーディオ信号を聴取することができる。しかし、プリセットオーディオシーンを適切な数だけ十分に生成し、ユーザ（視聴者）がオブジェクト毎のオーディオ信号をいちいち制御することなく、予め生成されたオーディオシーンのうちの１つを選択できるようにすることがより好ましい。
【００３１】
図３は、本発明の一実施形態に係るプリセットオーディオシーンを用いたオブジェクトベースの３次元オーディオサービス提供方法を示すフローチャートである。まず、オブジェクトベースの３次元オーディオサービス提供装置３０の入力部３１は、オブジェクトベースのオーディオ信号を多様な入力手段を介して受信する（Ｓ３０１）。
【００３２】
その後、プリセットオーディオシーン生成部３２は、入力部３１を介して入力されたオーディオ信号からオブジェクトベースのオーディオ信号（オブジェクトオーディオ信号）を抽出し（Ｓ３０２）、これを３次元空間上に配置してオーディオ信号のオブジェクト毎の属性（オーディオオブジェクトの位置、方向、大きさ、音場環境を含む）を編集し（Ｓ３０３）、１つ以上のオブジェクトベースの３次元オーディオシーン情報を生成する（Ｓ３０４）。また、符号化部３３は、入力部３１を介して入力されたオーディオ信号及びプリセットオーディオシーン生成部３２によって生成されたオブジェクトベースの３次元オーディオシーン情報を符号化して多重化する（Ｓ３０５）。例えば、デジタル放送網において、符号化部３３は、符号化されたオブジェクトベースの３次元オーディオシーン情報をＭＰＥＧ−４ファイルの形態で多重化することができる。
【００３３】
次に、伝送部３４は、符号化部３３によって多重化されたオブジェクトベースのオーディオコンテンツ（オーディオ信号、オブジェクトベースの３次元オーディオシーン情報）を伝送フォーマットに合わせて変換して伝送する（Ｓ３０６）。例えば、デジタル放送網では、ＭＰＥＧ−２  ＴＳに変換して伝送する。
【００３４】
例えば、伝送部３４は、変換されたオブジェクトベースのオーディオコンテンツ（オーディオ信号、オブジェクトベースの３次元オーディオシーン情報）を、デジタル放送網（地上波ＤＭＢチャネル）を介してオブジェクトベースの３次元オーディオ再生装置４０に伝送することができる。このとき、変換されたオブジェクトベースのオーディオコンテンツ（オーディオ信号、オブジェクトベースの３次元オーディオシーン情報）は、格納媒体に格納されることもあり得る。
【００３５】
図４は、本発明の一実施形態に係るプリセットオーディオシーンを用いたオブジェクトベースの３次元オーディオサービス再生方法を示すフローチャートである。まず、オブジェクトベースの３次元オーディオサービス再生装置４０の受信部４１は、例えば、デジタル放送網（地上波ＤＭＢチャネル５０）またはインターネット網などのような伝送媒体を介してオブジェクトベースのオーディオコンテンツ（オーディオ信号、オブジェクトベースの３次元オーディオシーン情報）を受信する（Ｓ４０１）。
【００３６】
このとき、前記オブジェクトベースのオーディオコンテンツは、受信部４１にオーディオが提供される放送サービス及びマルチメディアサービスの提供が可能な伝送媒体を介して受信することもでき、格納媒体を介して入力されることもあり得る。
【００３７】
その後、復号化部４２は、前記受信または入力されたオブジェクトベースのオーディオコンテンツ（オーディオ信号、オブジェクトベースの３次元オーディオシーン情報）を復号化（逆多重化）する（Ｓ４０２）。また、オーディオシーン情報構成部４３は、復号化部４２によって復号化（逆多重化）されたオブジェクトベースの３次元オーディオコンテンツにおけるオブジェクトベースの３次元オーディオシーン情報をユーザ（視聴者）が選択できるようにユーザ（視聴者）に提供し、ユーザ（視聴者）の選択に応じたオブジェクトベースの３次元オーディオシーン情報を構成する（Ｓ４０３）。
【００３８】
次に、オーディオ信号合成部４４は、オーディオシーン情報構成部４３によって構成されたオブジェクトベースの３次元オーディオシーン情報に基づき、復号化部４２によって復号化（逆多重化）されたオブジェクトベースの３次元オーディオコンテンツにおけるオーディオ信号のオブジェクト毎の属性（オーディオオブジェクトの位置、方向、大きさ、音場環境を含む）を制御して合成する（Ｓ４０４）。最後に、オーディオ信号再生部４５は、オーディオ信号合成部４４によって１つのオブジェクトベースの３次元オーディオシーンで合成されたオーディオ信号を再生する（Ｓ４０５）。
【００３９】
上述した本発明の方法は、プログラムとして具現され、コンピュータで読み取り可能な記録媒体（ＣＤ−ＲＯＭ、ＲＡＭ、ＲＯＭ、フロッピー（登録商標）ディスク、ハードディスク、光磁気ディスクなど）に格納され得る。この過程は、本発明の属する技術分野における通常の知識を有する者が容易に実施できるため、これ以上の詳細な説明は省略する。
【００４０】
以上で説明した本発明は、本発明の属する技術分野における通常の知識を有する者にとって、本発明の技術的思想を逸脱しない範囲内で様々な置換、変形及び変更が可能であるため、上述した実施形態及び添付図面によって限定されるものではない。
【図面の簡単な説明】
【００４１】
【図１】従来のオーディオサービスシステムの構成例を示す図である。
【図２】本発明の一実施形態に係るプリセットオーディオシーンを用いたオブジェクトベースの３次元オーディオサービスシステムの構成図である。
【図３】本発明の一実施形態に係るプリセットオーディオシーンを用いたオブジェクトベースの３次元オーディオサービス提供方法を示すフローチャートである。
【図４】本発明の一実施形態に係るプリセットオーディオシーンを用いたオブジェクトベースの３次元オーディオサービス再生方法を示すフローチャートである。
【図１】
0005586950.tif 000002
【図２】
0005586950.tif 000003
【図３】
0005586950.tif 000004
【図４】
0005586950.tif 000005